(57)【特許請求の範囲】
【請求項１】
放送波を受信する少なくとも２つのチューナを有するデータ多重放送受信機であって、
所定変調信号を担う前記放送波を受信した受信波から当該変調信号をそれぞれ独立して復調することの可能な一方及び他方のチューナと、
所定の割込条件を満たす割込番組の発生が検知された場合に前記一方のチューナを介して当該割込番組の音響出力を行う制御をなす制御手段と、
前記受信波に多重されたデータ信号を復調しかつ復号して放送関連情報データを再生するデータ再生手段とを有し、
前記制御手段は、前記他方のチューナに対して、前記放送波を送信する１の放送局が属するネットワーク並びに異なる他のネットワークに関する情報が前記放送波に多重された特定放送波を送信する局を選局するよう同調制御を行い、前記特定放送波の同調制御が完了した後は、前記他方のチューナの受信波における前記放送関連情報データに基づいて前記割込条件が満たされたか否かを監視することを特徴とするデータ多重放送受信機。
【請求項２】
前記特定放送波を送信する放送局に関する情報を記憶する記憶手段をさらに有し、
前記他方のチューナは、前記記憶手段に記憶された情報に基づいて特定放送波を送信する局を選択することを特徴とする請求項１記載のデータ多重放送受信機。
【請求項３】
前記記憶手段の記憶情報に基づく前記特定放送波の同調制御が不成功となった場合、前記他方のチューナに対して、当該放送波を送信する１の放送局が属するネットワーク並びに異なる他のネットワークに関する情報が当該放送波に多重されかつ前記記憶手段に記憶された情報により選択される局とは異なる局によって送信される第２の特定放送波について復調を行うよう同調制御を行い、前記第２の特定放送波の同調制御が完了した後は、前記他方のチューナの受信波における前記放送関連情報データに基づいて前記割込条件が満たされたか否かを監視することを特徴とする請求項２記載のデータ多重放送受信機。
【請求項４】
前記制御手段は、前記特定放送波の同調制御が不成功となった場合、前記他方のチューナに対して、当該放送波を送信する１の放送局が属するネットワークに関する情報を含むデータ信号が多重された多重放送波について復調を行うよう同調制御を行い、前記多重放送波の同調制御が完了した後は、前記他方のチューナの受信波における前記放送関連情報データに基づいて前記割込条件が満たされたか否かを監視することを特徴とする請求項１記載のデータ多重放送受信機。
【請求項５】
放送局に関する情報を記憶する記憶手段をさらに有し、
前記多重放送波は、前記記憶手段に記憶された情報により選択された局によって送信される放送波であることを特徴とする請求項４記載のデータ多重放送受信機。
【請求項６】
前記記憶手段の記憶情報に基づく前記多重放送波の同調制御が不成功となった場合、前記他方のチューナに対して、放送局に関する情報を含むデータ信号が多重されかつ当該データ信号に前記記憶手段に記憶された情報を含まない第２の多重放送波について復調を行うよう同調制御を行い、前記第２の多重放送波の同調制御が完了した後は、前記他方のチューナの受信波における前記放送関連情報データに基づいて前記割込条件が満たされたか否かを監視することを特徴とする請求項５記載のデータ多重放送受信機。
【請求項７】
放送波を受信する少なくとも２つのチューナを有するデータ多重放送受信機であって、
所定変調信号を担う前記放送波を受信した受信波から当該変調信号をそれぞれ独立して復調することの可能な一方及び他方のチューナと、
所定の割込条件を満たす割込番組の発生が検知された場合に前記一方のチューナを介して当該割込番組の音響出力を行う制御をなす制御手段と、
前記受信波に多重されたデータ信号を復調しかつ復号して放送関連情報データを再生するデータ再生手段とを有し、
前記制御手段は、
ａ）割込モードが設定されこの割込モード以外に前記他方のチューナを同調制御するモードが設定されていないこと
ｂ）前記一方のチューナが放送局に関する情報を含むデータ信号が多重されていない多重放送波に同調していること
のうちのいずれか１つの条件が満たされている場合においては、前記他方のチューナに対して、データ信号が多重された特定放送波について復調を行うよう同調制御を行い、前記特定放送波の同調制御が完了した後は、前記他方のチューナの受信波における前記放送関連情報データに基づいて前記割込条件が満たされたか否かを監視する割込処理を、前記他方のチューナを同調制御する処理として専ら実行すること特徴とするデータ多重放送受信機。
【請求項８】
前記制御手段は、
ｃ）前記一方のチューナが、代替周波数情報を含まないデータ信号が多重された多重放送波に同調していること
の条件が満たされている場合においても、前記割込処理を、前記他方のチューナを同調制御する処理としては専ら実行することを特徴とする請求項７記載のデータ多重放送受信機。
【請求項９】
前記制御手段は、前記他方のチューナを同調制御する他のモードがさらに設定されている場合において、前記割込処理と前記他のモードに対応する処理とを時分割で実行することを特徴とする請求項７または８記載のデータ多重放送受信機。
【請求項１０】
前記他のモードに対応する処理は、前記放送関連情報データに基づいて前記一方のチューナが選局している放送局が属するネットワークの他の放送局を検索する処理であることを特徴とする請求項９記載のデータ多重放送受信機。
【請求項１１】
前記特定放送波は、当該特定放送波を送信する１の放送局が属するネットワーク並びに異なる他のネットワークに関する情報が多重された放送波であることを特徴とする請求項７、８、９または１０記載のデータ多重放送受信機。
【発明の詳細な説明】
【０００１】
【発明の属する技術分野】
本発明は、データ多重放送受信機に関し、特に、少なくとも２つのチューナが併設されたデータ多重放送受信機に関する。
【０００２】
【従来の技術】
データ多重放送システムの１つであるＲＤＳ（Ｒａｄｉｏ  Ｄａｔａ  Ｓｙｓｔｅｍ  ）は、国際無線通信諮問委員会（ＣＣＩＲ）で勧告されたＦＭ多重放送方式であり、カーラジオを主な対象として、放送局の局名表示、自動選局、交通情報の自動受信などの各種サービスを行うことを可能とする方式である。
【０００３】
ＲＤＳ受信機は、ある１つの放送局からの放送波の受信状態が悪化した場合に、
受信した放送波に多重されているＲＤＳデータ中の番組識別（ＰＩ）コードに基づいて当該放送局と同じ放送ネットワークに属し（換言すれば、当該放送局と同じ番組を提供し）かつ受信状態の良好な他の放送局からの放送波を自動的に受信するよう同調周波数の制御をなすネットワークフォロー処理を行うことができる。
かかるＲＤＳデータは、当該他の放送局からの放送波の受信周波数を示す情報を現受信周波数の代替周波数（ＡＦ）データとして含むことが可能であり、ＲＤＳ受信機は、そのＡＦデータを取り込んでこれをＡＦリストとして記憶しておき、ネットワークフォロー処理の実行時にそのＡＦリストにしたがって同調周波数の切り換え制御をすることも可能である。
【０００４】
しかしながら、このような同調周波数の制御においては、ネットワークフォロー処理の開始からすぐに受信状態の良好な他の放送局からの放送波を受信できるとは限らず、それができるまでに何度も同調周波数の設定，選局後の受信状態の評価及びＰＩコードの一致確認を行う可能性があるので、その間において音響出力を続ければ、同調周波数の頻繁な変更によるノイズ音声が発せられてしまうこととなる。
【０００５】
この対策としては、従来より、かかる同調周波数の制御の間、音響出力をミュートする手法が採られてきた。しかし、この手法によっても、一旦出力音声が途切れる形となり、結局は音響出力の断続を呈することとなり、リスナーに対して聴きづらい音声を提供してしまう状況を招来する。
他にノイズ対策に寄与し得る手法としては、特開昭６４−６０１１５号公報に記載のＲＤＳラジオ受信機がある。この受信機は、２つのチューナを併設し、一方のチューナで希望する番組を受信している間、他方のチューナでＰＩコードを利用して当該一方のチューナが受信している番組と同じ番組を提供する他の放送局をスキャンし、常に受信レベルの高いチューナから音響出力するように構成されている。
【０００６】
これによれば、他方のチューナがスキャンをしている間は一方のチューナからの音響出力がなされ、当該一方のチューナが受信しているものよりも音響再生品質が良いと判断される放送波を検出したときのみ他方のチューナからの音響出力に切り換える。故に、他方のチューナのスキャンすなわち同調周波数の制御による音響出力上のノイズが発せられることがなくなり、また、上述したようなミュートによる音響出力の断続も呈することがなくなるのである。
【０００７】
しかし、上記公報に記載の受信機は、ＰＩコードに基づいて現在受信している放送が提供する番組を高い音響出力品質にて持続するためだけに２つのチューナが設けられているので、チューナを併設した構成の持つ利点を十分に活かしきれていない。付言すれば、チューナの併設に伴うコスト高に対して奏される作用効果が薄すぎる、という側面がある。
【０００８】
【発明が解決しようとする課題】
よって本発明は、上述した点に鑑みてなされたものであり、その目的とするところは、併設される複数チューナの各々の能力を有効に発揮させることのできるデータ多重放送受信機を提供することにある。
【０００９】
【課題を解決するための手段】
（１）  本発明による受信機は、放送波を受信する少なくとも２つのチューナを有するデータ多重放送受信機であって、所定変調信号を担う前記放送波から当該変調信号をそれぞれ独立して復調することの可能な一方及び他方のチューナと、所定の割込条件を満たす割込番組の発生が検知された場合に前記一方のチューナを介して当該割込番組の音響出力を行う制御をなす制御手段と、前記受信波に多重されたデータ信号を復調しかつ復号して放送関連情報データを再生するデータ再生手段とを有し、前記制御手段は、前記他方のチューナに対して、前記放送波を送信する１の放送局が属するネットワーク並びに異なる他のネットワークに関する情報が前記放送波に多重された特定放送波を送信する局を選局するよう同調制御を行い、前記特定放送波の同調制御が完了した後は、前記他方のチューナの受信波における前記放送関連情報データに基づいて前記割込条件が満たされたか否かを監視することを特徴としている。
【００１０】
かかる受信機において、前記特定放送波を送信する放送局に関する情報を記憶する記憶手段をさらに有し、前記他方のチューナは、前記記憶手段に記憶された情報に基づいて特定放送波を送信する局を選択することができる。この記憶手段の記憶情報に基づく前記特定放送波の同調制御が不成功となった場合、前記他方のチューナに対して、当該放送波を送信する１の放送局が属するネットワーク並びに異なる他のネットワークに関する情報が当該放送波に多重されかつ前記記憶手段に記憶された情報により選択される局とは異なる局によって送信される第２の特定放送波について復調を行うよう同調制御を行い、前記第２の特定放送波の同調制御が完了した後は、前記他方のチューナの受信波における前記放送関連情報データに基づいて前記割込条件が満たされたか否かを監視するようにすることもできる。
【００１１】
また、上記受信機において、前記制御手段は、前記特定放送波の同調制御が不成功となった場合、前記他方のチューナに対して、当該放送波を送信する１の放送局が属するネットワークに関する情報を含むデータ信号が多重された多重放送波について復調を行うよう同調制御を行い、前記多重放送波の同調制御が完了した後は、前記他方のチューナの受信波における前記放送関連情報データに基づいて前記割込条件が満たされたか否かを監視するようにすることができる。
【００１２】
ここで、放送局に関する情報を記憶する記憶手段をさらに有し、前記多重放送波は、前記記憶手段に記憶された情報により選択された局によって送信される放送波とすることができる。この記憶手段の記憶情報に基づく前記多重放送波の同調制御が不成功となった場合、前記他方のチューナに対して、放送局に関する情報を含むデータ信号が多重されかつ当該データ信号に前記記憶手段に記憶された情報を含まない第２の多重放送波について復調を行うよう同調制御を行い、前記第２の多重放送波の同調制御が完了した後は、前記他方のチューナの受信波における前記放送関連情報データに基づいて前記割込条件が満たされたか否かを監視するようにすることができる。
【００１３】
（２）  本発明による受信機は、放送波を受信する少なくとも２つのチューナを有するデータ多重放送受信機であって、所定変調信号を担う前記放送波を受信した受信波から当該変調信号をそれぞれ独立して復調することの可能な一方及び他方のチューナと、所定の割込条件を満たす割込番組の発生が検知された場合に前記一方のチューナを介して当該割込番組の音響出力を行う制御をなす制御手段と、前記受信波に多重されたデータ信号を復調しかつ復号して放送関連情報データを再生するデータ再生手段とを有し、前記制御手段は、
ａ）割込モードが設定されこの割込モード以外に前記他方のチューナを同調制御するモードが設定されていないこと
ｂ）前記一方のチューナが放送局に関する情報を含むデータ信号が多重されていない多重放送波に同調していること
のうちのいずれか１つの条件が満たされている場合においては、前記他方のチューナに対して、データ信号が多重された特定放送波について復調を行うよう同調制御を行い、前記特定放送波の同調制御が完了した後は、前記他方のチューナの受信波における前記放送関連情報データに基づいて前記割込条件が満たされたか否かを監視する割込処理を、前記他方のチューナを同調制御する処理として専ら実行すること特徴としている。
【００１４】
かかる受信機において、前記制御手段は、
ｃ）前記一方のチューナが、代替周波数情報を含まないデータ信号が多重された多重放送波に同調していること
の条件が満たされている場合においても、前記割込処理を、前記他方のチューナを同調制御する処理としては専ら実行するようにしても良い。
【００１５】
かかる受信機において、前記制御手段は、前記他方のチューナを同調制御する他のモードがさらに設定されている場合において、前記割込処理と前記他のモードに対応する処理とを時分割で実行するようにしても良い。
また、前記他のモードに対応する処理には、前記放送関連情報データに基づいて前記一方のチューナが選局している放送局が属するネットワークの他の放送局を検索する処理を適用することができる。
【００１６】
さらに、前記特定放送波は、当該特定放送波を送信する１の放送局が属するネットワーク並びに異なる他のネットワークに関する情報が多重された放送波とすることができる。
【００１７】
【発明の実施の形態】
以下、本発明を図面を参照しつつ詳細に説明する。
図１は、本発明による一実施例のＲＤＳデータ多重放送受信機の概略構成を示している。
図１において、アンテナ１で受信される電波は、上述したＰＩコードやＡＦデータを含むＲＤＳ信号の多重されているＦＭ放送波（ＲＤＳ放送波）やＲＤＳ信号の多重されていないＦＭ放送波を含む。アンテナ１の受信出力は、受信信号として分配回路２を経てＦＭチューナ３１及び３２に供給される。ＦＭチューナ３１は、当該受信機のメインチューナを担い、主に本来的に再生すべき情報である音声に係る信号の復調を行う。ＦＭチューナ３２は、当該受信機のサブチューナを担い、主にＲＤＳ信号の復調を行う。但し、所定変調信号としてのＦＭ信号を担う受信波から当該変調信号を独立して復調することが可能な点では、両チューナともに同等の機能を有する。
【００１８】
ＦＭチューナ３１及び３２は、いわゆる同調動作により希望する放送局の電波を選択し周波数１０．７ＭＨｚの中間周波数（ＩＦ）に変換するフロントエンドと、このＩＦの信号を増幅するＩＦ増幅器と、その増幅出力からＦＭ検波をなして音声信号を復調するＦＭ検波回路とをそれぞれ具備している（ともに図示せず）。より詳しくは、各フロントエンドは、周波数変換手段たる混合器（図示せず）を含み、プログラマブル分周器（図示せず）を含むＰＬＬ（Ｐｈａｓｅ  Ｌｏｃｋｅｄ  Ｌｏｏｐ）回路３１０またはＰＬＬ回路３２０を用いたＰＬＬシンセサイザ方式によって当該混合器への局発信号を得ており、プログラマブル分周器の分周比が後述するコントローラ１０によって制御されることにより選局動作を行う構成となっている。
【００１９】
ＦＭチューナ３１により復調された音声信号は、ミュート回路４を介してオーディオ回路５に供給される。オーディオ回路５は、いわゆるステレオ復調回路（図示せず）によって、例えばステレオ放送の場合にはＬ（左）チャンネル及びＲ（右）チャンネルの音声信号に分離する。オーディオ回路５の各チャンネルの音声信号は、それぞれ対応するパワーアンプ６に供給され、電力増幅される。パワーアンプ６は、これら音声信号に応じてスピーカ７を駆動し、音響出力を行わせることとなる。
【００２０】
一方、サブＦＭチューナ３２の後段には、受信波に含まれるデータ信号を復調しかつ復号するデータ再生手段を担い、サブＦＭチューナ３２のＦＭ検波出力からＲＤＳ信号（データ）を検出するためのＲＤＳ信号検出系が形成される。より詳しくは、ＦＭチューナ３２からの検波出力からバイフェーズコード化されたデータ信号によって振幅変調された５７ＫＨｚの副搬送波、すなわちＲＤＳ信号成分を抽出する帯域通過フィルタ（ＢＰＦ）８と、この抽出されたＲＤＳ信号成分が供給されてこれに同期しつつ復調及び復号処理並びに該復号に伴うエラー検出及びエラー訂正処理を施すＲＤＳデコーダ９とが設けられる。ＢＰＦ８及びＲＤＳデコーダ９の構成や動作は、特開平８−７９０１６号などで公知となっているので、ここでの詳しい説明は省略する。ＲＤＳデコーダ９の復号出力は、ＲＤＳデータとしてマイクロコンピュータ構成のＲＤＳデータ処理／システムコントローラ（以下、コントローラと略称する）１０に供給され、種々の制御に用いられる。
【００２１】
また、ＦＭチューナ３１の受信状態を検出する手段として、ＦＭチューナ３１における上記ＩＦ増幅器から得られるＩＦ信号レベルに基づいて受信信号レベル（電界強度）を検出するレベル検出器３１Ａと、この受信信号レベルが所定のレベル以上であり、かつＦＭチューナ３１における上記ＦＭ検波器におけるＳ字カーブ特性の検波出力が所定レベル範囲内にあるとき局を検出したことを表す局検出信号を出力する局検出器３１Ｂとが設けられる。ＦＭチューナ３２の受信状態を検出する手段としても、同様のレベル検出器３２Ａ及び局検出器３２Ｂが設けられる。レベル検出器３１Ａ，３２Ａから出力される受信信号レベルを示す信号及び局検出器３１Ｂ，３２Ｂから出力される局検出信号は、いずれもコントローラ１０に供給される。
【００２２】
ここで、本実施例の特徴に関わるＲＤＳデータの内容について詳細に説明する。
ＲＤＳデータは、放送関連情報データを担うものであり、１０４ビットを１グループとし各グループが４つのブロックからなる未定義グループを含む０〜１５グループまでの１６種類のグループによって構成されている。各ブロックは、１６ビットの情報ワードと１０ビットのチェックワード及びオフセットワードとの２６ビットからなる。ＲＤＳデータの未定義グループのうち、１４Ａ及び１４Ｂグループが、図２及び図３に示されるようなフォーマットによってＥＯＮ情報（Ｅｎｈａｎｃｅｄ  Ｏｔｈｅｒ  Ｎｅｔｗｏｒｋｓ  Ｉｎｆｏｒｍａｔｉｏｎ  ）として制定され、当該ＲＤＳデータの送信局が属するネットワークの情報を示す自ネットワーク情報だけでなく、他のネットワーク情報も伝送可能となっている。
【００２３】
図２及び図３において、各コード名称の後尾に付加された「（ＴＮ）」及び「（ＯＮ）」は、それぞれ自ネットワーク（Ｔｈｉｓ  Ｎｅｔｗｏｒｋ）に関するコード及び他ネットワーク（Ｏｔｈｅｒ  Ｎｅｔｗｏｒｋ）に関するコードであることを示している。
図２に示される１４Ａグループにおいて、第１ブロックには、自ネットワークのプログラム（番組）識別コードＰＩ（ＴＮ）が割り当てられる。このＰＩ（ＴＮ）コードは、当該放送がどこの国に属するかを示す国別コード（４ビット），当該放送がどこの地域に属するかを示す放送エリアコード（４ビット），主たるネットワークの識別に用いられるプログラム参照ナンバーコード（８ビット）の１６ビットからなる。ＰＩコードは、主に、受信機が同じＰＩコードの局をサーチすることにより、受信状態が悪化しても同じプログラムを継続して良好に提供できるようにするためのコードである。
【００２４】
１４Ａグループの第２ブロックには、グループタイプコード（Ｇｒｏｕｐ  ｔｙｐｅ  ｃｏｄｅ  ），バージョンビットＢ０  ，交通番組局コードＴＰ（ＴＮ），プログラムタイプコードＰＴＹ（ＴＮ），交通番組局コードＴＰ（ＯＮ），情報分類コード（Ｕｓａｇｅ  ｃｏｄｅ）が割り当てられる。
グループタイプコードは、その後に送られてくるデータに何が送られるかを識別させるための４ビットのコードであり、４ビットを用いて０〜１５までの１６のグループを指定し、その後のバージョンビットＢ０  （１ビット）によりバージョンＡまたはＢを指定する。Ｂ０  ＝“０”がＡバージョンを、Ｂ０  ＝“１”がＢバージョンを示す。したがって、１４Ａグループのグループタイプコードは、図２に示されるように、“１１１０”（１０進表示で１４）と“０”が割り当てられ、一方、１４Ｂグループのグループタイプコードは、図３に示されるように、“１１１０”と“１”が割り当てられる。
【００２５】
交通番組局コードＴＰ（ＴＮ）は、自ネットワーク中に交通番組局が存在するか否かを示す１ビットのコードである。プログラムタイプコードＰＴＹ（ＴＮ）は、自ネットワークの番組タイプを示すコードである。ＰＴＹコードは、０〜３１の３２種類の番組タイプ（音楽番組，ニュース番組，スポーツ番組など）を識別するために５ビットが割り当てられており、予め定められた規約に基づいて番組種類が決められている。
【００２６】
交通番組局コードＴＰ（ＯＮ）は、他のネットワーク中に交通番組局が存在するか否かを示す１ビットのコードである。したがって、このＴＰ（ＯＮ）コードを常時監視することにより、受信機は、他のネットワークに交通番組局が存在するか否かをリアルタイムに知ることができる。
情報分類コード（Ｕｓａｇｅ  ｃｏｄｅ）は、第３ブロックに記述されている情報の種類が何であるかを示す４ビットのコードであり、図２中に示されるように、４ビットの符号“００００”〜“１１１１”を用いて（０）から（１５）までの１６種類の情報が規定されている。
【００２７】
第３ブロックの（０）〜（３）の情報ブロックには放送局名の文字コード（ｃｈａｒ．１〜ｃｈａｒ．８）が記述される。（４）の情報ブロックにはメソッドＡ（Ｍｅｔｈｏｄ  Ａ）形式による他ネットワークの放送局代替周波数データＡＦ（ＯＮ）が、また（５）〜（９）の情報ブロックにはマップドフリクエンシー（Ｍａｐｐｅｄ  Ｆｒｅｑｕｅｎｃｉｅｓ）形式による自ネットワークの放送局周波数データ（Ｔｕｎｉｎｇ  ｆｒｅｑ．（ＴＮ））と他ネットワークの放送局周波数データ（Ｍａｐｐｅｄ  ＦＭ  ｆｒｅｑ．（ＯＮ））がそれぞれ記述される。この（４）または（５）〜（９）の情報ブロックにおける放送局周波数データは、各放送局によって予めいずれかの形式が選択され、その選択された形式によって放送局周波数データが送信される。
【００２８】
第３ブロックの（１０）及び（１１）の情報ブロックは未使用となっており、（１２）の情報ブロックは、所定のリンク情報データが格納される。
第３ブロックの（１３）の情報ブロックには、プログラムタイプコードＰＴＹ（ＯＮ）が記述される。これは、他ネットワークの番組タイプを示すコードであり、上記ＰＴＹ（ＴＮ）と同様のビットフォーマットを有する。
【００２９】
なお、上述において言及しなかったデータや第３ブロックの（１４）及び（１５）の情報ブロックについては、本実施例の特徴に直接関係がないので、その説明は省略する。
第４ブロックには、他ネットワークのプログラム識別コードＰＩ（ＯＮ）が割り当てられる。
【００３０】
図３に示される１４Ｂグループにおいて、第１ブロックには、自ネットワークのプログラム識別コードＰＩ（ＴＮ）が割り当てられる。第２ブロックには、１４Ｂグループを示すグループ識別コード“１１１０１”，交通番組局コードＴＰ（ＴＮ），プログラムタイプコードＰＴＹ（ＴＮ），交通番組局コードＴＰ（ＯＮ）及び放送アナウンスコードＴＡ（ＯＮ）が割り当てられる。したがって、この他ネットワークの放送アナウンスコードＴＡ（ＯＮ）を監視することにより、受信機は、他ネットワーク中のいずれかの局で交通情報が放送されていることを知ることができる。
【００３１】
１４Ｂグループの第３ブロックには、自ネットワークのプログラム識別コードＰＩ（ＴＮ）が、また第４ブロックには、他ネットワークのプログラム識別コードＰＩ（ＯＮ）がそれぞれ割り当てられる。
各グループのＲＤＳデータは、略周期的に繰り返し多重伝送されるが、比較的頻繁に伝送されるグループは０Ａグループである。
【００３２】
図４は、この０Ａグループのデータフォーマットを示しており、第１ブロックに自ネットワークのＰＩ（ＴＮ）コードが配される。第２ブロックには、グループタイプコードの“０００００”とそれぞれ自ネットワークのＴＰ（ＴＮ）コード及びＰＴＹ（ＴＮ）コードとが割り当てられる。したがって、このＰＴＹ（ＴＮ）コードを監視することにより、受信機は、自ネットワークにおいて如何なるタイプの番組が放送されていることを知ることができる。
【００３３】
第３ブロックには、自ネットワークの放送局代替周波数データＡＦ（ＴＮ）が割り当てられ、第４ブロックには、当該放送局の局名をディスプレイで表示するための１６ビットの放送局名データＰＳ（Ｐｒｏｇｒａｍ  Ｓｅｒｖｉｃｅ  ｎａｍｅ）が割り当てられる。この他のデータ構成は、１４Ａ及び１４Ｂグループのデータのものと同様である。
【００３４】
再び図１に戻り、コントローラ１０は、上述したようなグループ単位で入力されるＲＤＳデータの各ブロックの情報ワード、すなわち自他ネットワークに関するＰＩコード、ＡＦデータ、ＴＰコード、ＴＡコード、ＰＴＹコード等を取り込んで内部メモリ１１に記憶することができる。このメモリ１１は、ネットワーク毎にそのネットワークに属する放送波の周波数を表す代替周波数データ（ＡＦデータ）をＡＦリストとして記憶する記憶手段を担い得る。
【００３５】
このＡＦリストにつき一例を詳述すると、サブチューナ３２において、あるネットワークＡに属する１つのＲＤＳ放送局ａから発せられた上記ＥＯＮ情報を含む放送波が受信されている場合、その放送波中のＲＤＳ信号から当該ネットワークＡ及びこれ以外のネットワークのＰＩコード及びＡＦデータがＲＤＳデコーダ９よりシステムコントローラ１０に転送されメモリ１１に書き込まれる。このメモリ１１への書き込みにより、メモリ１１の所定の記憶エリアには、現在サブチューナ３２が選局している放送局ａのネットワークＡに属する放送局の周波数データがＡＦリスト（ＴＮ）として格納されるとともに、ネットワークＡ以外のネットワークに属する放送局の周波数データがＡＦリスト（ＯＮ）として格納される。
【００３６】
メモリ１１はまた、いわゆるプリセットチャンネルメモリとしても用いられる。
プリセットチャンネルメモリとしてのメモリ１１は、例えばユーザにより操作部１２を介して予め当該ユーザが選んだ放送局の情報を記憶しておき、その記憶内容の中からユーザが希望する放送局を指定してその放送を逸早く聴取し易くするものである。
【００３７】
コントローラ１０は、操作部１２からの受信周波数を伴う選局指令（プリセットチャンネルの指定を含む）に基づき、若しくはネットワークフォロー処理の結果最終的に選ばれたＡＦデータに基づき、チューナ３１と共働のＰＬＬ回路３１０における上記プログラマブル分周器の分周比を制御することによって、所望の放送局、或いは受信中の放送局と同一のネットワークに属する他の放送局を選局することができる。
【００３８】
本実施例の特徴的な動作としては、コントローラ１０は、後述される割込条件が満たされた場合に当該割込番組を受信するようメインチューナ３１を制御する。
また、コントローラ１０は、サブチューナ３２の制御も同様にＰＬＬ回路３２０を使って行う。かかるサブチューナ３２の制御は、概するに、割込条件を満たす番組の発生を監視する割込モードの制御と、メインチューナ３１が選局している放送局と同一のネットワークに属する他の放送局の受信状態を監視する処理モードの制御とに分けることができる。その詳細は、後述によって明らかとなる。
【００３９】
さらにコントローラ１０は、選局時にミュート回路４をオンとするための切換信号を出力する。
操作部１２及び表示部１３は、当該ＲＤＳ受信機のフロントパネルに設けられる。表示部１３は、コントローラ１０ないしは受信機の種々の動作状態を告知する告知手段を担うものであり、コントローラ１０からの表示制御信号に応じた表示をなす。
【００４０】
次に、本受信機の特徴的動作につき詳しく説明する。
コントローラ１０は、図５及び図６に示されるようなフローチャートに従う割込処理を実行する。
この割込処理は、概して、或る放送をメインチューナ３１が受信及び音響出力中に、サブチューナ３２が割込番組すなわち交通情報，ユーザが希望する番組またはこれに近いと目される番組の発生を監視するとともに、当該番組が検知されたときにメインチューナ３１を介して当該割込番組について音響出力するよう指示を行うものである。当該割込番組が見つからない間、かかるサブチューナ３２は、優先順位付けされた所定の待機条件を満たす放送局から得られるデータにより割込番組の発生を監視する。
【００４１】
コントローラ１０は、先ず割込モードか否かを判別し（ステップＳ１）、割込モードでなければ割込処理を終了して元のメインルーチンに戻り、再びこの割込処理への移行タイミングを待つこととなる。
割込モードは、例えば操作部１２を介してユーザにより指定されるものであり、交通情報を優先的に音響出力させる交通情報割込モードと、これ以外のユーザにより任意に指定された番組を優先的に音響出力させる指定番組割込モードとに細分化することができる。
【００４２】
いずれかの割込モードが指定されている場合、コントローラ１０は、メインチューナ３１が現在受信している放送局が交通情報を提供するか否か、或いは現在受信している放送波から番組識別情報が得られるか否かを判別する（ステップＳ２）。具体的には、コントローラ１０は、サブチューナ３２がメインチューナ３１と同じ放送局を選局するようにＰＬＬ回路３２０を制御し、ＲＤＳデコーダ９からＴＰ（ＴＮ）コード或いはＰＴＹ（ＴＮ）コード（以下、「指定ＰＴＹ（ＴＮ）」と言う）が得られるか否かを判別する。交通情報割込モードにある場合に、ここでＴＰ（ＴＮ）コードが得られれば、或いは指定番組割込モードにある場合に、ここでＰＴＹ（ＴＮ）が得られれば、コントローラ１０は、サブチューナ３２の選局状態を確立しすなわちメインチューナ３１と同じ選局状態に保ち（ステップＳ２Ａ）、この選局状態で割込番組の発生を監視する（ステップＳ７）。
【００４３】
ステップＳ２においてＴＰ（ＴＮ）コードも指定ＰＴＹ（ＴＮ）も得られない場合、コントローラ１０は、プリセットデータによって、上述した如き他のネットワークに属する放送局に関する情報を含むデータ信号が多重された特定放送波を発するＥＯＮ情報提供局をサーチするようサブチューナ３２を制御する（ステップＳ３）。ここでプリセットデータは、コントローラ１０の内蔵メモリ１１にネットワーク毎に記憶されているデータであり、予めユーザがメモリ１１に操作部１２を介して選択設定した放送局を選局するための少なくとも１つの同調周波数の情報が含まれている。コントローラ１０は、このプリセットデータによって指示される同調周波数にサブチューナ３２が同調するようＰＬＬ回路３２０に制御信号を送ることとなる。サブチューナ３２の同調が完了すると、コントローラ１０は、ＥＯＮ情報提供局かどうかを確認する。この確認は、チューナ３２が選局した放送局から先述したようなＥＯＮ情報を含む１４Ａ及び１４ＢグループのＲＤＳデータを得られるか否かによって行われる。コントローラ１０は、ＥＯＮ情報提供局を確認できなければ、次の放送局についてのプリセットデータによってサブチューナ３２の同調制御及びＥＯＮ情報提供局確認を行う。
【００４４】
コントローラ１０は、かかるプリセットデータによるＥＯＮ情報提供局サーチの結果、ＥＯＮ情報提供局が検出されたか否かを判別し（ステップＳ３０）、検出された場合は、サブチューナ３２をその検出されたＥＯＮ情報提供局の選局状態に保ち（ステップＳ３Ａ）、この選局状態で割込番組の発生の監視を行う（ステップＳ７）。ステップＳ３，Ｓ３０，Ｓ３Ａは、第１の特定放送波についてのサブチューナの同調制御処理に相当する。
【００４５】
かくして割込モード下において現受信局が割込番組の発生を監視する監視局として適切でない場合にサブチューナ３２が優先してＥＯＮ情報提供局の選局状態で割込番組の発生を監視するので、自ネットワークの情報だけでなく他ネットワークの情報までも割込番組の監視範囲としてカバーできることとなって好ましい。しかもここでは単なるＥＯＮ情報提供局ではなくプリセットデータに基づいて当該割込番組の発生を監視するためのＥＯＮ情報提供局のサーチを行い、ユーザが既に選択したことのあるＥＯＮ情報提供局の選局状態でサブチューナ３２が割り込み番組の発生を待つようにしている。これにより、ユーザが希望する可能性の高い放送局を優先的にサブチューナ３２に設定することができてより好ましい。
【００４６】
ステップＳ３０においてＥＯＮ情報提供局が検出されないことを判別した場合、コントローラ１０は、同調周波数の掃引によってＥＯＮ情報提供局をサーチするようサブチューナ３２を制御する（ステップＳ４）。より詳しくは、コントローラ１０は、サブチューナ３２固有の受信帯域に亘るその同調周波数の掃引を開始するようＰＬＬ回路３２０に制御信号を送る。そうして、かかる同調周波数の掃引において、コントローラ１０は、レベル検出器３２Ａからの信号及び局検出器３２Ｂからの局検出信号により受信レベルと局検出状態とを把握し、受信状態が良好か不良かを判断する。受信良好と判断されれば、コントローラ１０は、その時点で同調周波数の掃引を停止し、サブチューナ３２の受信波が、ＥＯＮ情報提供局からのものかどうかを確認する（ステップＳ４０）。この確認は、先のステップＳ３における確認と同様にして行われる。
【００４７】
コントローラ１０は、ステップＳ４０においてＥＯＮ情報提供局が検出されたことを判別すると、その検出されたＥＯＮ情報提供局からの放送波に含まれるＰＩデータの国コードがプリセットデータのものと一致するか否かを判別する（ステップＳ４Ａ）。そして一致している場合にのみ、コントローラ１０は、サブチューナ３２をその検出されたＥＯＮ情報提供局の選局状態に保ち（ステップＳ４Ｂ）、この選局状態で割込番組の発生を監視する（ステップＳ７）。逆に一致していない場合は、コントローラ１０は、ステップＳ４に移行し、同調周波数の掃引を再開させ、同様の受信状態の判断及びＥＯＮ情報提供局の確認を行う。ステップＳ４，Ｓ４０，Ｓ４Ａ，Ｓ４Ｂは、第２の特定放送波についてのサブチューナの同調制御処理に相当する。
【００４８】
かかるステップＳ４，Ｓ４０，Ｓ４Ａ及びＳ４Ｂの処理について、特にステップＳ４Ａの処理につき詳しく説明すると、普通、ユーザは或る１つの国に帰属し或いは限定される幾つかの言語を使用するので、ユーザーにより選択設定されるプリセットデータは、一貫して同じ国或いは数少ない特定の国の放送局に関する情報である場合が多い。従って、ステップＳ４Ａのように、プリセットされた国コードを送信するＥＯＮ情報提供局だけを選ぶようにすれば、ユーザが以前に選択したことのある国の放送局だけが割込番組の発生の監視対象の局として選ばれることとなる。
【００４９】
かくして、割込モード下において現受信局が割込番組の発生を監視する監視局として適切でなくしかもステップＳ３によるサーチも不成功に終わった場合に、サブチューナ３２の受信帯域に亘る同調周波数の掃引を行ってＥＯＮ情報提供局のサーチを行っているので、プリセットデータに属するＥＯＮ情報提供局だけでなくサブチューナ３２の受信可能な限りＥＯＮ情報提供局をサーチすることができる。故にプリセットデータに属するＥＯＮ情報提供局の次に優先してサブチューナ３２がプリセットデータに属さないＥＯＮ情報提供局の選局状態で割込番組の発生を待機するので、他ネットワークの情報を割込番組の発生の監視対象に含ませる効果を維持することができて好ましい。しかもここでは単にプリセットデータに属さないＥＯＮ情報提供局ではなくプリセットデータの国コードに基づいてＥＯＮ情報提供局のサーチを行い、ユーザがこれまでに選択したことのある国のＥＯＮ情報提供局の選局状態でサブチューナ３２が割り込み番組の発生を待つようにしている。これによって、ユーザの希望により近い放送局を優先的にサブチューナ３２に設定することができてより好ましい。
【００５０】
ステップＳ４０においてＥＯＮ情報提供局が検出されないことを判別した場合、コントローラ１０は、プリセットデータによってＲＤＳ局をサーチするようサブチューナ３２を制御する（ステップＳ５）。より詳しくは、コントローラ１０は、プリセットデータによって指示される同調周波数にサブチューナ３２が同調するようＰＬＬ回路３２０に制御信号を送る。サブチューナ３２の同調が完了すると、コントローラ１０は、サブチューナ３２の受信波がＲＤＳ局からのものであるか否かを確認する。この確認は、チューナ３２が選局したものがＥＯＮ情報を含むかどうかに拘わらずＲＤＳデータを多重伝送する放送局かどうかを見るものであり、ＲＤＳデコーダ９からＲＤＳデータが得られるか否かによって行われる。ステップＳ５の処理は、ＥＯＮ情報提供局のサーチが不成功となった場合に行われるので、結局ここではＥＯＮ情報を提供しないＲＤＳ局がサーチ目標となる。コントローラ１０は、かかるＲＤＳ局を確認できなければ、次の放送局についてのプリセットデータによってサブチューナ３２の同調制御及びＲＤＳ局確認を行う。
【００５１】
コントローラ１０は、かかるプリセットデータによるＲＤＳ局サーチの結果、ＲＤＳ局が検出されたか否かを判別し（ステップＳ５０）、検出された場合は、サブチューナ３２をその検出されたＲＤＳ局の選局状態に保ち（ステップＳ５Ａ）、この選局状態で割込番組の発生を監視する（ステップＳ７）。ステップＳ５，Ｓ５０，Ｓ５Ａは、第１の多重放送波についてのサブチューナの同調制御処理に相当する。
【００５２】
かくして割込モード下において現受信局が割込番組の発生を監視する監視局として適切でなくしかもステップＳ３並びにステップＳ４及びＳ４Ａによるサーチも不成功に終わった場合に、プリセットデータに属さないＥＯＮ情報提供局の次に優先してサブチューナ３２がプリセットデータに属したＲＤＳ情報提供局の選局状態で割込番組の発生を待機するので、他ネットワークの情報が割込番組の発生の監視範囲としてカバーできなくとも最低限自ネットワークの情報が当該監視範囲としてカバーされることを保証できて好ましい。しかも、ここでは単なるＲＤＳ局ではなくプリセットデータに基づいて当該割込番組の発生を監視するためのＲＤＳ局のサーチを行い、ユーザが既に選択したことのあるＲＤＳ局の選局状態でサブチューナ３２が割り込み番組の発生を待つようにしている。これにより、ユーザが希望する可能性の高い放送局を優先的にサブチューナ３２に設定することができてより好ましい。
【００５３】
ステップＳ５０においてＲＤＳ局が検出されないことを判別した場合、コントローラ１０は、同調周波数の掃引によってＲＤＳ局をサーチするようサブチューナ３２を制御する（ステップＳ６）。より詳しくは、コントローラ１０は、サブチューナ３２固有の受信帯域に亘るその同調周波数の掃引を開始するようＰＬＬ回路３２０に制御信号を送る。そうして、かかる同調周波数の掃引において、コントローラ１０は、レベル検出器３２Ａからの信号及び局検出器３２Ｂからの局検出信号により受信レベルと局検出状態とを把握し、受信状態が良好か不良かを判断する。受信良好と判断されれば、コントローラ１０は、その時点で同調周波数の掃引を停止し、サブチューナ３２の受信波が、ＲＤＳ局からのものかどうかを確認する（ステップＳ６０）。この確認は、先のステップＳ５における確認と同様にして行われる。
【００５４】
コントローラ１０は、ステップＳ６０においてＲＤＳ局が検出されたことを判別すると、その検出されたＲＤＳ局からの放送波に含まれるＰＩデータの国コードがプリセットデータのものと一致するか否かを判別する（ステップＳ６Ａ）。そして一致している場合にのみ、コントローラ１０は、サブチューナ３２をその検出されたＲＤＳ局の選局状態に保ち（ステップＳ６Ｂ）、この選局状態で割込番組の発生の監視を行う（ステップＳ７）。逆に一致していない場合は、コントローラ１０は、ステップＳ６に移行し、同調周波数の掃引を再開させ、同様の受信状態の判断及びＲＤＳ局の確認を行う。ステップＳ６，Ｓ６０，Ｓ６Ａ，Ｓ６Ｂは、第２の多重放送波についてのサブチューナの同調制御処理に相当する。
【００５５】
ステップＳ６Ａの処理の意義も先のステップＳ４Ａの処理と同様である。すなわちステップＳ６Ａの処理によって、ユーザがそれまでに選択したことのある国の放送局だけが割込局の監視対象の局として選ばれることとなる。
かくして、割込モード下において現受信局が割込番組の発生を監視する監視局として適切でなくしかもステップＳ３，ステップＳ４及びＳ４Ａ並びにステップＳ５によるサーチのどれもが不成功に終わった場合には、サブチューナ３２の受信帯域に亘る同調周波数の掃引を行ってＲＤＳ局のサーチを行っているので、プリセットデータに属するＲＤＳ局だけでなくサブチューナ３２の受信可能な限りＲＤＳ局をサーチすることができる。故に、プリセットデータに属するＲＤＳ局の次に優先してサブチューナ３２がプリセットデータに属さないＲＤＳ局の選局状態で割込番組の発生を待機するので、ＲＤＳデータが担う情報を割込番組の発生の監視対象に含ませる効果を維持することができて好ましい。しかもここでは単にプリセットデータに属さないＲＤＳ局ではなくプリセットデータの国コードに基づいてＲＤＳ局のサーチを行い、ユーザがこれまでに選択したことのある国のＲＤＳ局の選局状態でサブチューナ３２が割り込み番組の発生を待つようにしている。これによって、ユーザの希望により近い放送局を優先的にサブチューナ３２に設定することができてより好ましい。
【００５６】
ステップＳ６０においてＲＤＳ局が検出されないことを判別した場合、コントローラ１０は、割込処理を終了して元のメインルーチンに戻り、再びこの割込処理への移行タイミングを待つこととなる。
ステップＳ７への移行後において、コントローラ１０は、割込条件が満たされたか否かを判別する（ステップＳ８）。ステップＳ７においては、ステップＳ８に必要なＲＤＳデータの各コード及びデータを取り込めるようサブチューナ３２の同調周波数の持続と、主にサブチューナ３２の受信波から得られるＲＤＳデータに基づいた割込番組の発生の検知がなされる。ここでは割込条件を、次の如く設定する。
【００５７】
Ｉ．交通情報割込モードの場合
ｉ）  受信波から得られるＴＰ（ＴＮ）コードまたはＴＰ（ＯＮ）コードが１であること
ｉｉ）  上記ＴＰコードに対応するＴＡ（ＴＮ）コードまたはＴＡ（ＯＮ）コードが１であること
ｉｉｉ）  受信状態が良好であること
ＩＩ．指定番組割込モードの場合
ｉ）  受信波から得られるＰＴＹ（ＴＮ）コードまたはＰＴＹ（ＯＮ）コードが指定ＰＴＹコードと一致すること
ｉｉ）  受信状態が良好であること
注記するに、先の説明から分かるように、ＴＰ（ＴＮ）コード及びＴＡ（ＴＮ）コードは、０ＡグループのＲＤＳデータにおける第２ブロックにおいて確認することができる。また、受信波から得られるＴＰ（ＯＮ）コードは、１４Ａ及び１４ＢグループのＲＤＳデータにおける第２ブロックにおいて確認することができ、受信波から得られるＴＡ（ＯＮ）コードは、１４ＢグループのＲＤＳデータにおける第２ブロックにおいて確認することができる。受信波から得られるＰＴＹ（ＴＮ）コードは、０ＡグループのＲＤＳデータにおける第２ブロックにおいて確認することができる。ＰＴＹ（ＯＮ）コードは、１４ＡグループのＲＤＳデータにおける第３ブロック、詳しくは当該第３ブロック中の（１３）の情報ブロックにおいて確認することができる。
【００５８】
また、受信状態が良好であることの条件は、コントローラ１０が、レベル検出器３２Ａから供給される信号と所定値とを比較し、前者が後者よりも大なることをもって満たされるものとすることができる。
また、ステップＳ３Ａ，Ｓ４ＡからステップＳ７へと移行したフローにおいては、当該ステップＳ７により同調される放送局は、ＥＯＮ情報提供局であるので、この場合コントローラ１０は、割込番組の発生の監視動作として、当該ＥＯＮ情報に基づいて上記割込条件を満たす放送局の情報を追い求める如きサブチューナ３２の同調制御も行う。例えば、同調した放送波からＴＰ（ＴＮ）コードが１となっているＲＤＳデータが得られない場合、ＴＰ（ＯＮ）コード及びＴＡ（ＯＮ）コードを見てこれらが１となっていることを確認すると、対応するＯＮ局にサブチューナ３２を選局せしめ、この状態でＴＡ（ＴＮ）コードを確認する、という動作が行われる。
【００５９】
ステップＳ８において、上述した如き割込条件が満たされたことを判別すると、コントローラ１０は、当該割込条件の満たす放送番組の音声を出力する。この時、必要に応じてメインチューナ３１の同調制御を行う（ステップＳ８１１）。その後コントローラ１０は、割込条件が満たされているかどうかを再度確認し（ステップＳ８１２）、ステップＳ８１２において割込条件が満たされていないことが判別されるか、または割込モードが解除されるまで、かかるメインチューナ３１の同調状態を保つ（ステップＳ８１３）。
【００６０】
ユーザーが操作部１２を介してその旨の指令を発するなどして割込モードが解除されれば、コントローラ１０は、メインチューナ３１を元の受信状態にする。この時必要に応じて、コントローラ１０は、割込番組がメインチューナ３１を介して音声出力される直前に設定されていた受信状態にメインチューナ３１を戻すようメインチューナ３１の同調制御を行う（ステップＳ９）。
【００６１】
ステップＳ８において、割込条件が満たされていないことを判別すると、コントローラ１０は、割込モードが解除されたか否かを判別し（ステップＳ８２１）、解除されていない場合はステップＳ７による割込番組の発生の監視が所定時間継続してなされたか否かを判別する（ステップＳ８２２）。ステップＳ８２２において所定時間に満たないと判別された場合、コントローラ１０は、ステップＳ７に移行する。かかるステップＳ７，Ｓ８，Ｓ８２１，Ｓ８２２の繰り返しにより、所定時間を上限としてサブチューナ３２の同調周波数を持続させつつその受信波に基づき割込条件を満たす番組が発生したか否かが判定されることとなる。
【００６２】
ステップＳ８２１において割込モードの解除を判別した場合及びステップＳ８２２においてサブチューナ３２の同調周波数の持続開始からの所定時間の経過を判別した場合は、コントローラ１０は、今回の処理を終了する。
以上割込処理について説明したが、コントローラ１０はさらに、図７に示されるようなフローチャートに従う切り換え処理をも実行する。この処理は、サブチューナ３２の同調制御を行う処理としてのネットワークフォロー処理と上記割込処理とを時分割的に並行して行うための処理である。
【００６３】
図７において、コントローラ１０は、ネットワークフォロー（ＮＦ）処理の必要性があるか否かを判別する（ステップＳ１００）。ここでは、ネットワークフォロー処理が必要でない場合を、次のいずれかの条件が満たされた場合とする。
ａ）ネットワークフォロー処理モードが設定されていないこと
ｂ）メインチューナ３１が非ＲＤＳ局を選局していること
コントローラ１０は、どちらかの条件が満たされていることを確認すると、ネットワークフォロー処理を実行する必要がないと判断し、専ら上記割込処理を実行する（ステップＳ２００）。ステップＳ２００は、先の図５及び図６に示した処理のサブルーチンに相当する。
【００６４】
ステップＳ１００において、上記条件のいずれも確認できない場合には、コントローラ１０は、ネットワークフォロー処理を実行する必要があると判断し、割込処理移行タイミングが到来したか否かを判別する（ステップＳ１０１）。ここで、割込処理の移行タイミングは、割込モードが設定されている場合にのみ発生されるものであり、その場合、コントローラ１０が、かかるタイミングを周期的に発生するようにしている。
【００６５】
ステップＳ１０１において、割込処理移行タイミングが到来するまでは、コントローラ１０は、メインチューナ３１が現在選局している放送局が属するネットワークの他の放送局の受信状態をチェックするようサブチューナ３２の同調制御処理を行う（ステップＳ３００）。
ここでのチェック処理においては、以下で述べる２つの処理が行われる。
【００６６】
１つは、上記ＡＦリスト（ＴＮ）を用いて当該リスト中の各ＡＦデータに基づいたサブチューナ３２の選局を行うとともに、メインチューナ３１が現在選局している放送局に対応するＰＩコードがサブチューナ３２の受信波から得られるかどうかを確認し、その確認のできた受信波の受信状態例えばレベル検出器３２Ａからの信号のレベルを当該受信波の同調周波数の情報に対応づけて例えばメモリ１１に順次記憶するＡＦリストチェックである。もう１つは、ＡＦリスト（ＴＮ）を用いずにサブチューナ３２の受信帯域に亘る同調周波数掃引を行うとともに、メインチューナ３１が現在選局している放送局に対応するＰＩコードがサブチューナ３２の受信波から得られるかどうかを確認し、その確認のできた受信波の受信状態を当該受信波の同調周波数の情報に対応づけて例えばメモリ１１に順次記憶する受信帯域チェックである。
【００６７】
かかるチェック処理の後、コントローラ１０は、当該処理によって記憶された受信状態が、メインチューナ３１の受信状態よりも良好であるか否かを判断する（ステップＳ１０２）。良好であると判断したときは、コントローラ１０は、メインチューナ３１の選局を変更すべきものとして、メインチューナ３１を、その良好と判断された受信状態に対応して記憶された同調周波数の情報に従って同調せしめ（ステップＳ１０３）、ネットワークフォロー処理を終了する。チェック処理によって記憶された受信状態にメインチューナ３１の受信状態よりも良好なものがなければ、コントローラ１０は、メインチューナ３１の選局状態を継続し、このネットワークフォロー処理を終了する。
【００６８】
なお、ステップＳ１００におけるネットワークフォロー処理が必要でない場合の条件として、ｃ）メインチューナ３１がＲＤＳ局を選局しているもののその局の放送波からは自ネットワークのＡＦリストが得られないこと、を追加しても良い。ただし、このような条件設定をした場合は、ステップＳ３００においてなされるチェック処理から上述した受信帯域チェックを外すことで処理全体の整合性が保たれる。このような条件を追加することにより、無駄なネットワークフォロー処理を省くことができる。
【００６９】
かくして、この切り換え処理によれば、割込処理（Ｓ２００）を適格な状況のときに実行させることができるとともに、ネットワークフォロー処理とともに巧く両立させることができる。
上記実施例においては、メインチューナ３１が受信している放送波のＲＤＳデータをコントローラ１０が確認するときは、コントローラ１０は、サブチューナ３２に対してメインチューナ３１の選局状態と同じくするよう同調制御し、この結果サブチューナ３２の出力から得られるＲＤＳデータをメインチューナ３１の受信波に係るＲＤＳデータとして間接的に確認するようにしているが、このような態様とは異なる態様を採る構成を組むこともできる。
【００７０】
図８は、かかる構成を有する他の実施例によるデータ多重受信機を示している。
図８において、図１に示されるものと同等の部分には同一の符号が付されている。この実施例による受信機は、ＢＰＦ８の前段に切り替えスイッチ３３が設けられており、このスイッチは、メインチューナ３１の出力信号とサブチューナ３２の出力信号とを選択的にＢＰＦ８に供給する。切り替えスイッチ３３はまた、コントローラ１０から制御信号が供給されており、この制御信号に応じてメインチューナ３１の出力信号及びサブチューナ３２の出力信号のどちらか一方をＢＰＦ８に供給するよう動作する。
【００７１】
このような構成によれば、メインチューナ３１が受信している放送波のＲＤＳデータをコントローラ１０が確認するときは、コントローラ１０は、メインチューナ３１の出力信号がＢＰＦ８に供給されるよう切り替えスイッチ３３を制御することにより、直接、メインチューナ３１が受信している放送波のＲＤＳデータを取り込むことができる。したがって、コントローラ１０は、その処理上においてメインチューナ３１が受信している放送波のＲＤＳデータを取り込む必要が生じたときに、図１に示される構成のようにサブチューナ３２をメインチューナ３１と同じ選局状態に同調させる必要がなく、切り替えスイッチ３３を制御するだけで簡単に当該ＲＤＳデータを取得することができる。
【００７２】
図１や図８に示される構成以外にも、本発明を適用することのできる構成がある。例えば、上記特開昭６４−６０１１５号公報に記載されているような構成に本願発明を適用することも可能である。
以上叙述した説明から分かるように、２つのチューナは、ＰＩコードに基づいて現在受信している放送が提供する番組を高い音響出力品質にて持続するいわゆるネットワーク処理だけでなく、交通情報やユーザ所望の番組などの割込番組の発生の監視を効率よく行うことにも使用される。したがって、併設チューナの有効活用が図られるとともに、併設チューナ特有の能力を有効に発揮させることができる。特に、メインチューナが非ＲＤＳ局を選局中であっても所望の番組に優先的に割り込むことができる、という今までにない機能が実現できる。
【００７３】
なお、上記各実施例においてはＲＤＳ受信機を挙げたが、必ずしもＲＤＳに限定されることはない。本質的に本発明が適用されうるタイプの受信機であれば本発明は実現可能である。
また、上記実施例は、図５に示される如きステップＳ４Ａ及びＳ６Ａにおいて受信した国コードとプリセットデータの国コードとの一致判別を行っているが、国コードの代わりにＰＩコードの持つ地域コードを採用しても良い。要は、プリセットデータを使って、ユーザが既に選択したことのある放送局に近い放送局をサーチできるようにすれば良いのである。
【００７４】
さらに上記実施例は、図５に示される如きステップＳ３，Ｓ４，Ｓ５及びＳ６において段階的にサーチ範囲を広げて種々のサーチを行っているが、例えばステップＳ３の処理を省いたり、ステップＳ５の処理を省いたりするなど、サーチの態様を改変することも可能である。
この他にも、上記各実施例においては種々の手段を限定的に説明したが、当業者の設計可能な範囲にて適宜改変することは可能である。
【００７５】
【発明の効果】
以上詳述したように、本発明によれば、併設される複数チューナの能力を有効に発揮させることのできるデータ多重放送受信機を提供することができる。
【図面の簡単な説明】
【図１】本発明による一実施例のＲＤＳデータ多重放送受信機の概略構成を示すブロック図である。
【図２】１４ＡグループのＲＤＳデータのデータフォーマットを示す図である。
【図３】１４ＢグループのＲＤＳデータのデータフォーマットを示す図である。
【図４】０ＡグループのＲＤＳデータのデータフォーマットを示す図である。
【図５】図１の受信機におけるシステムコントローラが実行する割込処理の手順を示す前半フローチャートである。
【図６】図１の受信機におけるシステムコントローラが実行する割込処理の手順を示す後半フローチャートである。
【図７】図１の受信機におけるシステムコントローラが実行する切り換え処理の手順を示すフローチャートである。
【図８】本発明による他の実施例のＲＤＳデータ多重放送受信機の概略構成を示すブロック図である。
【符号の説明】
１  アンテナ
２  分配器
３１  メインＦＭチューナ
３１０  ＰＬＬ回路
３１Ａ  レベル検出器
３１Ｂ  局検出器
３２  サブＦＭチューナ
３２０  ＰＬＬ回路
３２Ａ  レベル検出器
３２Ｂ  局検出器
４  ミュート回路
５  オーディオ回路
６  パワーアンプ
７  スピーカ
８  ＲＤＳ信号抽出用ＢＰＦ
９  ＲＤＳデコーダ
１０  ＲＤＳデータ処理／システムコントローラ
１１  メモリ
１２  操作部
１３  表示部
３３  切り替えスイッチ
【図１】
0003606420.tif 000002
【図２】
0003606420.tif 000003
【図３】
0003606420.tif 000004
【図４】
0003606420.tif 000005
【図５】
0003606420.tif 000006
【図６】
0003606420.tif 000007
【図７】
0003606420.tif 000008
【図８】
0003606420.tif 000009